(57)【特許請求の範囲】
【請求項１】
芯線材と、該芯線材の周りに巻き付けられた６本以上の巻付け線材とからなるゴム物品用補強材において、
前記芯線材が３％以上の切断伸びを有し、前記巻付け線材の外接円の平均直径をｄとしたとき、隣接する該巻付け線材間の距離の最大値Ｇｍａｘが、ゴム物品中で、下記式、
０＜Ｇｍａｘ≦３×ｄ
を満足し、かつ、隣接する該巻付け線材間の距離の総和Ｇｔｏｔａｌが、加工前またはゴム物品から取り出してゴムを除去した状態で、下記式、
Ｇｔｏｔａｌ≧６×ｄ
を満足することを特徴とするゴム物品用補強材。
【請求項２】
前記芯線材の１．５％伸張時における張力が、破断荷重の１／３以下である請求項１記載のゴム物品用補強材。
【請求項３】
全線材のうち少なくとも１本が金属線材である請求項１または２記載のゴム物品用補強材。
【請求項４】
前記金属線材がスチールからなる請求項３記載のゴム物品用補強材。
【請求項５】
前記芯線材が、波形若しくは螺旋状に型付けされた１本の線材からなるか、または、波形若しくは螺旋状に型付けされた複数本の線材を撚り合わせずに束ねてなる請求項１〜４のうちいずれか一項記載のゴム物品用補強材。
【請求項６】
請求項１〜５のうちいずれか一項記載のゴム物品用補強材を用いた補強層が、周方向に少なくとも１層配設されていることを特徴とするタイヤ。
【発明の詳細な説明】
【技術分野】
【０００１】
本発明は、ゴム物品用補強材（以下、単に「補強材」とも称する）およびそれを用いたタイヤに関し、詳しくは、タイヤをはじめとする各種ゴム物品に好適に適用可能なゴム物品用補強材およびそれを用いたタイヤに関する。
【背景技術】
【０００２】
従来より、タイヤやホースなどのような円管状のゴム物品において、その円管周方向の剛性や強度を補強するために、繊維材料が使用されている。例えば、空気入りタイヤのクラウン部分には、繊維で補強されたベルト層が配置されており、これにより、タイヤが高速回転した際に働く遠心力でタイヤのクラウン部分がせり出すことを防止するなどによって、タイヤ耐久性を向上させている。また、コーナリングの際には、タイヤ周方向の剛性がベルトの面内剛性にも寄与し、横力発揮に寄与している。
【０００３】
ベルト層として、コード方向が互いに交錯するベルト層を、そのコード角度をタイヤ周方向に向けて配置することで、周方向剛性を高めることは可能であるが、さらなる周方向剛性を得るために、タイヤ周方向に新たな補強層を設けることもある（例えば、特許文献１等）。
【特許文献１】特開２００７−１３７１９９号公報（特許請求の範囲等）
【発明の開示】
【発明が解決しようとする課題】
【０００４】
しかしながら、上記のように、補強線材を高角度で設置したり、タイヤ周方向に別途設けると、タイヤ周方向の剛性は得られるものの、タイヤ製造工程での作業性や歩留まりは悪化することになる。
【０００５】
これに対し、複撚りのＨＥ（Ｈｉｇｈ  Ｅｌｏｎｇａｔｉｏｎ）コードや、波形に型付けしたコードをタイヤ周方向に螺旋巻きしたコード層が提案されているが、この場合、製造工程での作業性は改善されるものの、一方で剛性が低下してしまう。そのため、充分な剛性を得るためには、通常のスチールコードより多くの量を巻きつけなければならず、製品の重量が増大するという問題があった。
【０００６】
そこで本発明の目的は、上記問題を解消して、製造加工時における伸張性（伸縮性）を確保しつつ、特にタイヤに適用した際に周方向剛性を高めることが可能であって、タイヤの重量増等の他の問題を生ずることがないゴム物品用補強材およびそれを用いたタイヤを提供することにある。
【課題を解決するための手段】
【０００７】
本発明者は鋭意検討した結果、下記構成とすることにより上記課題を解決できることを見出して、本発明を完成するに至った。
【０００８】
すなわち、本発明のゴム物品用補強材は、芯線材と、該芯線材の周りに巻き付けられた６本以上の巻付け線材とからなるゴム物品用補強材において、
前記芯線材が３％以上の切断伸びを有し、前記巻付け線材の外接円の平均直径をｄとしたとき、隣接する該巻付け線材間の距離の最大値Ｇｍａｘが、ゴム物品中で、下記式、
０＜Ｇｍａｘ≦３×ｄ
を満足し、かつ、隣接する該巻付け線材間の距離の総和Ｇｔｏｔａｌが、加工前またはゴム物品から取り出してゴムを除去した状態で、下記式、
Ｇｔｏｔａｌ≧６×ｄ
を満足することを特徴とするものである。
【０００９】
本発明の補強材においては、前記芯線材の１．５％伸張時における張力が、破断荷重の１／３以下であることが好ましい。また、全線材のうち少なくとも１本が金属線材であることが好ましく、この場合、好適には、前記金属線材がスチールからなる。さらに、本発明においては、前記芯線材が、波形若しくは螺旋状に型付けされた１本の線材からなるか、または、波形若しくは螺旋状に型付けされた複数本の線材を撚り合わせずに束ねてなることが好ましい。
【００１０】
また、本発明のタイヤは、上記本発明のゴム物品用補強材を用いた補強層が、周方向に少なくとも１層配設されていることを特徴とするものである。
【発明の効果】
【００１１】
本発明によれば、上記構成としたことにより、加硫前の製造加工時における良好な伸張性（伸縮性）を確保しつつ、加硫後には高剛性となって、特にタイヤに適用した際に周方向剛性を高めることが可能なゴム物品用補強材およびそれを用いたタイヤを実現することが可能となった。
【発明を実施するための最良の形態】
【００１２】
以下、本発明の好適実施形態について、図面を参照しつつ詳細に説明する。
図１に、本発明の一好適例に係るゴム物品用補強材の幅方向断面図を示す。図示するように、本発明のゴム物品用補強材は、芯線材１と、その周りに巻き付けられた６本以上、図示例では６本の巻付け線材２とからなる。
【００１３】
本発明のゴム物品用補強材においては、芯線材１として、３％以上の切断伸びを有するものを用いることが必要である。芯線材１の切断伸びは、好適には４％以上、例えば、４〜１５％とする。これにより、補強材をゴム物品に適用する際の成型加硫加工時において、補強材の伸縮性を確保することができ、作業性が確保される。芯線材１の切断伸びが３％未満であると、特に、タイヤの加圧加硫工程におけるモールドフィットが悪化し、トレッドの加硫不良を起こす場合がある。
【００１４】
また、本発明の補強材においては、巻付け線材２の外接円の平均直径をｄとしたとき、隣接する巻付け線材２間の距離の最大値Ｇｍａｘが、ゴム物品中で、下記式、
０＜Ｇｍａｘ≦３×ｄ
を満足することが必要である。Ｇｍａｘ＞３×ｄであると、コード内部にゴムが閉じ込められず、伸張時にバネのような変形をしてしまい、十分な剛性が得られなくなる。ここで、隣接する巻付け線材２間の距離とは、隣接する巻付け線材２の外周円間の最短距離（図中のＧ１〜Ｇ５およびＧｍａｘ）である。この距離は、具体的には、ゴム物品を、補強繊維の垂直方向に切断して、補強材断面が観察できるように研磨した後、顕微鏡で拡大し、図１に示すように隣接する巻付け線材間の距離を測定することにより得られる。また、「ゴム物品中で」とは、補強材をゴム物品中に埋設して加硫した後の製品の中での状態を意味し、加工により引っ張られたりすると補強材の断面形状が変化するので、ゴム等に拘束されず、コードに負荷がかかっていない状態を規定したものである。さらに、巻付け線材２の外接円直径として平均値を用いているのは、様々な直径のものが混在している可能性もあるため、より厳密に平均値としたものである。
【００１５】
さらに、本発明においては、隣接する巻付け線材２間の距離の総和Ｇｔｏｔａｌが、加工前またはゴム物品から取り出してゴムを除去した状態で、下記式、
Ｇｔｏｔａｌ≧６×ｄ
を満足することが必要である。Ｇｔｏｔａｌ＜６×ｄであると、伸張されたときに巻付け線材同士が接触して、伸張性がなくなり、作業性が悪化する。また、ゴムがコード内部に浸透しにくくなり、製品とした際にコード内部に空間ができてしまう。製品中でコード内にこのような空間があると、コードとして十分な剛性を得られなくなる。ここで、「加工前」とは、補強材をゴム物品中に埋設する前の状態を意味する。
【００１６】
本発明の補強材は、上記条件を満足するものであれば、その具体的な構造や材質等については、特に制限されるものではない。芯線材１は、例えば、１〜３本とすることができ、図示するように、螺旋状に型付けされた１本の線材からなるものとする他、波形に型付けされた１本の線材からなるものとすることも好適である。また、芯線材１は、波形若しくは螺旋状（図示例では波形）に型付けされた複数本の線材を撚り合わせずに束ねてなるものとしてもよく、複数本の線状体を撚り合わせてなる撚り構造を有するものとしてもよい。この場合の撚り構造を構成する線状体の本数や撚りピッチは、特に制限されるものではない。巻付け線材についても構造や材質等は芯線材１と同様であり、その本数としては、例えば、６〜１５本とすることができる。本発明の補強材としては、具体的には例えば、図１に示すような１＋ｎ構造で６≦ｎ≦１５である補強材を好適に挙げることができる。
【００１７】
また、芯線材および巻付け線材の材質としては、好適には金属、より好適にはスチールを用いる。全線材のうち金属線材を少なくとも１本用いることで、強度および剛性を得易くなるメリットがある。特には、波形または螺旋状に型付けされた金属線材を、芯線材として用いることで、生産性を向上することができる。
【００１８】
さらに、本発明においては、芯線材１の１．５％伸張時における張力が、破断荷重の１／３以下であることが好ましい。これにより、補強材が加工工程で拡張されたときにも伸び易く、内側の部材に食い込んで接触する不良も起こしにくくなる。
【００１９】
本発明のタイヤは、かかる本発明のゴム物品用補強材を用いた補強層が、周方向に少なくとも１層配設されているものであり、これにより、補強層において所望の高剛性を発揮させて、周方向剛性に優れたタイヤを実現することができる。
【００２０】
図２に、本発明のゴム物品用補強材を用いた本発明のタイヤの一例の幅方向片側断面図を示す。図示するタイヤは、少なくとも一対のビードコア２１間に跨ってトロイド状に延在する少なくとも１層のカーカス２２を骨格とし、その外周に、コード方向が層間で互いに交錯する少なくとも２層の交錯ベルト２３ａ，２３ｂと、上記補強材を略タイヤ周方向に螺旋巻き形成してなる周方向ベルト２４ａ，２４ｂとを、順次配置した構造を有している。図中、符号１１はトレッド部、符号１２はサイドウォール部、符号１３はビード部をそれぞれ示す。
【００２１】
本発明のタイヤにおいては、かかる周方向ベルト等の周方向の補強層に、上記本発明の補強材が適用されているものであればよく、これにより本発明の所期の効果を得ることができるものであり、周方向補強層における補強材の打ち込み数や、周方向補強層以外の具体的なタイヤ構造や材質等については、常法に従い適宜設定することができ、特に制限されるものではない。
【実施例】
【００２２】
以下、本発明を、実施例を用いてより詳細に説明する。
下記表１中に示す条件に従う芯線材および巻付け線材からなるゴム物品用補強材を作製し、これを、図２に示す構造を有するタイヤサイズ２２５／４５ＺＲ１７の乗用車用空気入りラジアルタイヤの周方向ベルト２４ａ，２４ｂに適用して、各供試タイヤを作製した。各供試タイヤは、交錯ベルト２３をそれぞれ複数本のスチールコードから構成し、その外周側に、補強コードをタイヤ周方向に対して実質的に０°で螺旋巻き形成した周方向ベルト２４ａ，２４ｂを設けた構造を有している。なお、比較例２の補強コードとしては、下記表１中に示す条件のナイロンコードを用いた。
【００２３】
得られた各供試タイヤにつき、製造時におけるトレッドの加硫不良の有無、および、静粛性につき評価した（タイヤ周方向の引張り剛性を高くすると、静粛性が良好となる）。その結果を、下記の表１中に併せて示す。
【００２４】
【表１】
0005035982.tif 000002
＊１）Ｇｍａｘ：ゴム物品中での隣接する巻付け線材間の距離の最大値である。
＊２）Ｇｔｏｔａｌ：ゴム物品から取り出してゴムを除去した状態での隣接する巻付け線材間の距離の総和である。
【００２５】
上記表１に示すように、本発明に係る条件を満足する実施例１，２のタイヤにおいては、トレッドの加硫不良を生ずることなく優れた静粛性を有するタイヤが得られることが確認できた。
【図面の簡単な説明】
【００２６】
【図１】本発明の一実施の形態に係るゴム物品用補強材を示す幅方向断面図である。
【図２】本発明の一実施の形態に係るタイヤを示す幅方向片側断面図である。
【図３】本発明の他の実施の形態に係るゴム物品用補強材を示す幅方向断面図である。
【図４】比較例１のゴム物品用補強材を示す幅方向断面図である。
【符号の説明】
【００２７】
１  芯線材
２  巻付け線材
１１  トレッド部
１２  サイドウォール部
１３  ビード部
２１  ビードコア
２２  カーカス
２３ａ，２３ｂ  交錯ベルト
２４（２４ａ，２４ｂ）  周方向ベルト
【図１】
0005035982.tif 000003
【図２】
0005035982.tif 000004
【図３】
0005035982.tif 000005
【図４】
0005035982.tif 000006